(57)【要約】【課題】ディスプレイの取付前および取付後の両方において、ディスプレイを水平状態に調整可能なテーブル装置を提供する。【解決手段】本発明の一実施形態に係るテーブル装置は、タッチパネルを内蔵するディスプレイと、このディスプレイを収納可能な大きさの開口が形成された天板と、この天板の下面に取り付けられ、天板を下側から支持する脚部と、天板の下面に取り付けられ、開口に収納されたディスプレイを下面側から保持するディスプレイ保持具と、このディスプレイ保持具の底面部に分散配置され、底面部から垂直方向に突出することでディスプレイの下面に当接する上端部の高さを調整可能な複数の高さ調整部材と、を備える。【選択図】図１
2015027336.tif 000002
【特許請求の範囲】
【請求項１】
タッチパネルを内蔵するディスプレイと、
このディスプレイを収納可能な大きさの開口が形成された天板と、
この天板の下面に取り付けられ、前記天板を下側から支持する脚部と、
前記天板の下面に取り付けられ、前記開口に収納された前記ディスプレイを下面側から保持するディスプレイ保持具と、
このディスプレイ保持具の底面部に分散配置され、前記底面部から垂直方向に突出することで前記ディスプレイの下面に当接する上端部の高さを調整可能な複数の高さ調整部材と、
を備えることを特徴とするテーブル装置。
【請求項２】
前記ディスプレイの周縁部及び前記天板の開口の周縁部を被覆可能な大きさで開口形成された枠部とこの枠部の下面側に設けられ、垂直方向に貫通するネジ穴が形成された枠接続部からなる枠部材と、
前記枠部に対応する形状及び大きさで前記枠部の下面に取り付けられ、押圧力に応じて弾性変形するフォームと、
前記ディスプレイ保持具側から前記枠接続部のネジ穴に締結され、前記枠部材を前記ディスプレイの周縁部上に固定する固定ネジと、
を更に備えることを特徴とする請求項１記載のテーブル装置。
【請求項３】
前記高さ調整部材は、高さ調整用の工具の形状に対応する溝が垂直方向の両端部にそれぞれ形成されていることを特徴とする請求項１又は２記載のテーブル装置。
【請求項４】
前記高さ調整部材は、高さ調整位置を示す目印が側面部に所定の距離間隔で設けられていることを特徴とする請求項１乃至請求項３のいずれか一項記載のテーブル装置。
【請求項５】
前記高さ調整部材は、プラスチック製または金属製であることを特徴とする請求項１乃至請求項４のいずれか一項記載のテーブル装置。
【発明の詳細な説明】
【技術分野】
【０００１】
本発明の実施形態は、テーブル装置に関する。
【背景技術】
【０００２】
従来、少人数での会議はテーブルを囲み、予め用意された印刷物を参照しながら進行することが多かった。しかし、業務の迅速化や省資源化などの目的から、印刷物の代わりに予め会議資料のファイルを記憶した端末を用いることが増えている。例えば、近年は、ユーザの指先やスタイラスとの接触に応答するタッチパネル式の表示入力装置が知られており、このような表示入力装置をテーブル内に水平状態となるように嵌め込み、上方から見ることが可能なコミュニケーションテーブルと呼ばれるテーブル装置も会議等に用いられ始めている。
【先行技術文献】
【特許文献】
【０００３】
【特許文献１】特開２００６−４０２７１号公報
【発明の概要】
【発明が解決しようとする課題】
【０００４】
しかしながら、従来のテーブル装置は、内蔵するディスプレイを水平状態に載置するために、ディスプレイ周辺の部品の寸法精度を高くする必要があるが、ディスプレイを収納する天板や保持具の許容誤差が累積すると全体として誤差が大きくなり、位置ずれを生じてしまう場合が多かった。また、テーブル装置内にディスプレイを一度取り付けると、ディスプレイを再度取り外さなければ、ディスプレイの水平状態に調整することが出来ず、調整作業が難しいという問題があった。
【０００５】
そこで、本発明は、ディスプレイの取付前および取付後の両方において、ディスプレイを水平状態に調整可能なテーブル装置を提供することを課題とする。
【課題を解決するための手段】
【０００６】
本発明の一実施形態に係るテーブル装置は、タッチパネルを内蔵するディスプレイと、このディスプレイを収納可能な大きさの開口が形成された天板と、この天板の下面に取り付けられ、前記天板を下側から支持する脚部と、前記天板の下面に取り付けられ、前記開口に収納された前記ディスプレイを下面側から保持するディスプレイ保持具と、このディスプレイ保持具の底面部に分散配置され、前記底面部から垂直方向に突出することで前記ディスプレイの下面に当接する上端部の高さを調整可能な複数の高さ調整部材と、を備えることを特徴とする。
【図面の簡単な説明】
【０００７】
【図１】本発明の一実施形態に係るテーブル装置の分解図。
【図２】図１に示すテーブル装置の全体構成を示す斜視図。
【図３】図２に示すテーブル装置を裏側から見た図。
【図４】図１に示すテーブル装置のディスプレイ接続部分の断面図。
【図５】図４に示す領域Ａを上方から見た斜視図。
【発明を実施するための形態】
【０００８】
以下、本発明の実施形態について、図面を用いて説明する。図１は、テーブル装置１０の分解図である。図１に示すように、テーブル装置１０は、タッチパネル式のディスプレイ１１と、略中央にディスプレイ１１を収納するための開口部が形成された長方形状の天板１２と、この天板１２の開口部の下側に固定され、ディスプレイ１１を下面側から保持するディスプレイ保持具１３と、天板１２の下面側の両端近傍に取り付けられ、天板１２を下面側から支持する一対の脚部１４ａ、１４ｂと、ディスプレイ保持具１３の底面部に分散配置され、底面部から垂直方向に突出することでディスプレイ１１の下面に当接する上端部の高さを調整可能な複数の高さ調整部材１５と、を備えている。更に、ディスプレイ保持具１３の底面部には、ディスプレイ１１をディスプレイ保持具１３に固定するためのディスプレイ固定ネジ１９（図示省略する）を通すネジ穴（貫通孔）１３０が４箇所に設けられている。このネジ穴１３０の位置及び大きさは、ディスプレイ１１の規格に合わせて決められている。
【０００９】
高さ調整部材１５は、例えばプラスチック製または金属製であり、高さ調整用の工具の形状に対応する溝が垂直方向の両端部にそれぞれ形成されているものとする。また、高さ調整部材１５が設けられる位置や個数は、取付対象となるディスプレイ１１の下面側の形状に合わせて決定することが好ましい。ディスプレイ１１を最適なバランスとなるように複数の高さ調整部材１５を分散配置し、これらを個別に調整することでディスプレイ１１を水平状態にすることができる。
【００１０】
また、テーブル装置１０は、ディスプレイ１１の上面の四辺の大きさに対応して開口形成され、天板１２とディスプレイ１１との隙間を埋める枠部材１６を更に備えている。枠部材１６は、ディスプレイ１１の周縁部及び天板１２の開口の周縁部を被覆可能な大きさで開口形成された枠部１６ａとこの枠部１６ａの下面側に設けられ、垂直方向に貫通するネジ穴（図示省略する）が形成された枠接続部１６ｂからなる。ここでは、枠接続部１６ｂは「コ」の字形状となっているが、形状はこれに限られない。
【００１１】
図２は、図１に示すテーブル装置１０の全体構成を示す斜視図である。図１に示す破線矢印に沿って天板１２に対してディスプレイ１１及び枠部材１６を取り付けると、図２に示すようなテーブル装置１０が得られる。ディスプレイ１１の上面と天板１２の上面の垂直方向における高さはほぼ等しく、かつ、両面が水平となるように調整されているものとする。また、図３は、図２に示すテーブル装置１０を裏側から見た図である。図３に示すように、ディスプレイ保持具１３は、天板１２の開口部を完全塞ぐように下面側に取り付けられており、高さ調整部材１５が６箇所に分散して設けられている。天板１２とディスプレイ保持具１３は、図示省略したネジの締結によって固定されているものとする。また、ディスプレイ保持具１３の下面側には、枠部材１６をディスプレイ１１及び天板１２に隙間なく固定するための固定ネジ１８を通すネジ穴１３１も併せて設けられている。また、図１と同様に、ディスプレイ１１をディスプレイ保持具１３に固定するためのディスプレイ固定ネジ１９（図示省略する）を通すネジ穴１３０が４箇所に設けられている。
【００１２】
以下、上記のように構成されているテーブル装置１０におけるディスプレイ１１の内蔵方法を図面に基づいて説明する。
【００１３】
先ず、内蔵予定のディスプレイ１１の高さの他、ディスプレイ保持具１３の底面から天板１２の上面までの高さを考慮して、複数の高さ調整部材１５をドライバーなどの工具を用いて天板１２の上方側からそれぞれ回し、最初の調整を行う。
【００１４】
次に、図１に示す破線矢印に沿って天板１２の開口からディスプレイ保持具１３上にディスプレイ１１を載置する。このとき、作業員はディスプレイ１１が水平状態になっているか否かを確認する。水平状態でない場合は、ディスプレイ１１を一旦取り外してから高さ調整部材１５を天板１２の上方から再度調整する、あるいは、ディスプレイ１１を取り外すことなく天板１２の下方側から高さ調整部材１５を調整する。
【００１５】
ディスプレイ１１が水平状態に調整された後には、図１に示す破線矢印に沿って枠部材１６をディスプレイ１１及び天板１２の隙間に嵌め込むと共に、ディスプレイ保持具１３の下側にあるネジ穴１３１から固定ネジ１８を通し、ディスプレイ１１及び天板１２を挟み込むように固定ネジ１８を締結する。図４は、図１に示すテーブル装置１０のディスプレイ接続部分の断面図であり、図５は、図４に示す領域Ａを上方から見た斜視図である。尚、フォーム１７と枠接続部１６ｂとの位置関係を明示するため、図５においては枠部材１６の枠部１６ａは除かれている。
【００１６】
図４及び図５に示すように、枠部１６ａの下面側には、ディスプレイ１１及び天板１２の上面と枠部１６ａの下面との間の隙間を埋める弾性部材であるフォーム１７が更に設けられている。スポンジやゴムなどのフォーム１７は、枠部１６ａに対応する形状及び大きさで枠部１６ａの下面に２列取り付けられており、押圧力に応じて弾性変形する。すなわち、固定ネジ１８が、ディスプレイ保持具１３側から枠接続部１６ｂのネジ穴に締結されると、枠部材１６がディスプレイ１１の周縁部と天板１２の開口の周縁部の両方に接近するため、枠部材１６は下面側に設けられているフォーム１７を上下方向で圧縮しながらディスプレイ１１及び天板１２の周縁部上に固定される。尚、固定ネジ１８を緩めた後に、高さ調整部材１５を下側から微調整することもできる。また、図４に示すように、ディスプレイ保持具１３の下面側には、ネジ穴１３０から通されたディスプレイ固定ネジ１９がディスプレイ１１の下面に形成されている凹部に締結され、ディスプレイ１１をディスプレイ保持具１３に固定している。ディスプレイ固定ネジ１９の締め付け具合を変えることによって高さ調整部材１５の場合と同様にディスプレイ１１の高さを微調整することもできる。
【００１７】
このように、本実施形態に係るテーブル装置１０によれば、ディスプレイ１１の取付前だけでなく、ディスプレイ１１をテーブル装置１０内に一旦取り付けた後であっても、天板１２の下面側からドライバー等の工具を用いて高さ調整部材１５を調整できる構成のため、複数個の高さ調整部材１５の垂直方向の位置をそれぞれ調整することで、ディスプレイ１１を水平状態に調整することが容易である。
【００１８】
また、ディスプレイ１１および天板１２の上面と枠部材１６の下面との間の隙間は、フォーム１７が弾性変形することで埋められるため、テーブル装置１０の上面側は、防水性及び防塵性を有する。また、図４及び図５に示すように、二つのフォーム１７を枠部１６ａの下面に、枠接続部１６ｂの上端を左右から挟むように並列配置したことで、防水性及び防塵性が更に高められている。このため、例えば、テーブル装置１０を用いた会議中に天板１２上に載置した飲料をこぼした場合でも、装置内部に浸水することはなく、かつ、清掃も容易である。
【００１９】
また、図４に示すように、高さ調整部材１５の側面部には、高さ調整位置を示す目印が所定の距離間隔で設けられている。このため、作業員が複数の位置における高さ調整部材１５の高さを容易に把握することができ、作業効率を高めることができる。
【００２０】
また、高さ調整部材１５を複数設けたことにより、テーブル装置１０に内蔵されるディスプレイ１１の種類、数及び大きさを自由に選択することも可能となる。具体的には、ディスプレイ１１の形状や大きさに合わせた枠部材１６を選択すると共に、高さ調整部材１５の高さをディスプレイ１１に合わせて調整することで容易に対応することができる。
【００２１】
また、上記実施形態では、表示装置としてタッチパネル式のディスプレイ１１を用いた場合について説明した。しかし、本発明のテーブル装置１０は入力機能のない表示装置を収納するものであってもよい。
【００２２】
また、上記実施形態において脚部１４ａ，１４ｂは「エ」字形状をするものを用いていた。しかし、本発明はこれに限られず、例えば天板１２の四隅に各々１脚ずつ脚部を設けた構造の脚部であってもよい。
【００２３】
更に、上記実施形態において、脚部の下脚部は全面で地面に接していた。しかし、この下脚部の下に方向自在のローラを付けることができる。このようにすれば、このテーブル装置１０を容易に移動させることができる利点がある。
【００２４】
以上、本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１０…テーブル装置
１１…ディスプレイ
１２…天板
１３…ディスプレイ保持具
１４ａ，１４ｂ…脚部
１５…高さ調整部材
１６…枠部材
１６ａ…枠部
１６ｂ…枠接続部
１７…フォーム
１８…固定ネジ
１９…ディスプレイ固定ネジ
【図１】
2015027336.tif 000003
【図２】
2015027336.tif 000004
【図３】
2015027336.tif 000005
【図４】
2015027336.tif 000006
【図５】
2015027336.tif 000007